(57)【特許請求の範囲】
【請求項１】
第１壁部と、該第１壁部の両側にて相対向して配置される２つの第２壁部と、によって囲まれたインナーバルコニーの構築方法であって、
前記第１壁部の下辺部に第１付加芯材を、前記第１壁部の両側辺部に第２付加芯材を、それぞれバルコニー側に突出させて取り付け、前記第１壁部の下辺部およびその下辺部の両側に予め入隅部を形成する工程と、
前記第１壁部の下辺部、前記第１付加芯材の上面、および前記第２付加芯材の側面下部を第１防水シートで覆い、前記入隅部を含む前記第１壁部の下辺部および該下辺部近傍に防水処理を施す工程と、
下辺部に第２防水シートが取り付けられた２枚の第２壁部を、前記第１壁部の両側に相対向させて立設する工程と、
前記第１壁部および前記第２壁部によって囲まれる領域に第３防水シートを敷設し、該第３防水シートと前記第１および第２防水シートとを重ね合わせる工程と、
を有することを特徴とするインナーバルコニーの構築方法。
【請求項２】
請求項１において、
前記第１壁部の下辺部および該下辺部近傍に防水処理を施す工程においては、前記第１壁部の壁面、前記第１付加芯材、および前記第２付加芯材の少なくともいずれか２つによって形成される角部に、樹脂で覆われた薄板を固定し、その樹脂と前記第１防水シートとを接着する工程を有することを特徴とするインナーバルコニーの構築方法。
【発明の詳細な説明】
【０００１】
【発明の属する技術分野】
本発明は、インナーバルコニーの構築方法に関し、特に、防水処理の作業を単純化することができるインナーバルコニーの構築方法に関する。
【０００２】
【関連技術および発明が解決しようとする課題】
従来、インナーバルコニーの構築における防水処理においては、バルコニー縁部への防水シートの貼付を含む工程と、バルコニー底部への防水シートの貼付を含む工程とが区別されていなかったため、防水処理作業が複雑になり、多くの工数を必要とするという問題点があった。
【０００３】
また、インナーバルコニーの構築においては、入隅部の防水処理は、複雑な形状の箇所の微妙な接着作業を含むため、その作業に熟練を要するとともに、相当の工数も必要とするという問題点があった。
【０００４】
さらに、入隅部の防水処理は、現場作業であるため、施工の質にばらつきが生じやすいという問題点もあった。
【０００５】
本発明は、上記のような問題点に鑑みてなされたものであって、その目的は、インナーバルコニーの構築における防水処理の作業を単純化することができるインナーバルコニーの構築方法を提供することにある。
【０００６】
また、本発明の他の目的は、インナーバルコニーの構築における防水処理の現場作業において、熟練を要することなく施工が可能で、工数を短縮することができ、防水処理の品質のばらつきを減少させることが可能なインナーバルコニーの構築方法を提供することにある。
【０００７】
【課題を解決するための手段】
以下、本欄においては、上記目的を達成するための手段を、本願の各請求項の各構成要件に対して本願の実施の形態の符号を対応させて説明する。
【０００８】
【０００９】
【００１０】
【００１１】
請求項１に記載の発明に係るインナーバルコニーの構築方法は、
第１壁部１４と、該第１壁部の両側にて相対向して配置される２つの第２壁部４０と、によって囲まれたインナーバルコニー１０の構築方法であって、
前記第１壁部の下辺部１８に第１付加芯材２２を、前記第１壁部の両側辺部に第２付加芯材２７を、それぞれバルコニー側に突出させて取り付け、前記第１壁部の下辺部およびその下辺部の両側に予め入隅部１２，１１を形成する工程と、  前記第１壁部の下辺部、前記第１付加芯材の上面２３、および前記第２付加芯材の側面２８下部を第１防水シート３２で覆い、前記第１壁部の下辺部および該下辺部近傍に防水処理を施す工程と、
下辺部４１に第２防水シート４４が取り付けられた２枚の第２壁部４０，４０を、前記第１壁部の両側に相対向させて立設する工程と、
前記第１壁部および前記第２壁部によって囲まれる領域に第３防水シート５６を敷設し、該第３防水シートと前記第１および第２防水シートとを重ね合わせる工程と、
を有することを特徴とする。
【００１２】
請求項１に記載の発明によれば、第１壁部と、第１壁部の両側に相対向して配置される２つの第２壁部とによって囲まれたインナーバルコニーが次のようにして構築される。まず、第１壁部の下辺部に第１付加芯材をバルコニー側に突出させて取り付け、第１壁部の両側辺部に第２付加芯材をバルコニー側に突出させて取り付けることによって、第１壁部の下辺部およびその下辺部の両側に入隅部を形成する。そして、第１壁部の下辺部、第１付加芯材の上面、および第２付加芯材の側面下部を第１防水シートで覆い、入隅部を含む第１壁部の下辺部およびその近傍に防水処理を施す。一方、下辺部に第２防水シートが取り付けられた２枚の第２壁部を、前記第１壁部に直交するように立設する。また、第１壁部および第２壁部によって囲まれる領域に第３防水シートを敷設し、第３防水シートと第１および第２防水シートとを重ね合わせる。この構築方法によれば、入隅部を含む第１壁部の下辺部およびその近傍に、まず、防水処理を施すことができ、処理の複雑な入隅部の防水処理を、隣接する壁部下辺部やバルコニー底部の防水処理作業とは別個の作業として行えるため、入隅部の防水処理作業を単純化することができる。また、入隅部を含む下辺部およびその近傍の防水処理を施した第１壁部を工場で予め製造すれば、インナーバルコニーの構築における防水処理の現場作業において、熟練を要する入隅部の防水処理の施工が不要となり、工数を短縮することができるとともに、入隅部の防水施工のばらつきを減少させることができる。
【００１３】
請求項２は、請求項１に記載の発明に係るインナーバルコニーの構築方法において、
前記第１壁部の下辺部および該下辺部近傍に防水処理を施す工程においては、前記第１壁部の壁面、前記第１付加芯材、および前記第２付加芯材の少なくともいずれか２つによって形成される角部に、樹脂で覆われた薄板１９を固定し、その樹脂と前記第１防水シートとを接着する工程を有することを特徴とするインナーバルコニーの構築方法の発明を定義している。
【００１４】
請求項２に記載の発明によれば、第１壁部の下辺部およびその近傍に防水処理を施す際には、第１壁部の壁面、第１付加芯材、および第２付加芯材の少なくともいずれか２つによって形成される角部に、まず、樹脂で覆われた薄板を固定し、その樹脂と第１防水シートとを接着することによって、第１防水シートを第１壁部の下辺部およびその近傍を覆うようにして貼付する。したがって、隅部の剥がれやすい部分での防水シートの貼付が樹脂と防水シートとの接着によって行われ、木質部等に直接防水シートを貼付する場合に比し、剥がれにくい防水シートの貼付が可能となる。
【００１５】
【発明の実施の形態】
以下、本発明の好適な実施例について、図面を参照しながら、さらに具体的に説明する。
【００１６】
図１は、本実施例のインナーバルコニー１０の分解斜視図であり、図２は、本実施例のインナーバルコニー１０の屋内側から屋外側までの構造を示す縦断面図である。これらの図に示すように、本実施例のインナーバルコニー１０は、屋内側に位置する第１壁部１４と、第１壁部１４の両側に互いに対向して配置される２つの第２壁部４０（図１ではその一方のみを図示）とによって囲まれたインナーバルコニー１０であり、その上方には屋根部（図示せず）が位置する。
【００１７】
このインナーバルコニー１０は、以下に示すような工程によって構築される。
【００１８】
まず、図１に示すように、第１壁部１４の下辺部１８に第１付加芯材２２をバルコニー側に突出させて取り付け、第１壁部１４の両側の側辺部２０に第２付加芯材２７（図１には一方のみを図示）をバルコニー側に突出させて取り付ける。これによって、第１壁部１４の下辺部１８およびその下辺部１８の両側（図１には一方のみを図示）に予め入隅部１１，１２が形成される。
【００１９】
次に、第１壁部１４の下辺部１８、第１付加芯材２２の上面２３、および第２付加芯材２７の側面２８下部を第１防水シート３２で覆うことによって、入隅部１１，１２を含む第１壁部１４の下辺部１８およびその近傍に防水処理を施す。この防水処理においては、例えば、入隅部１２付近の防水処理を行うために、図３（Ａ）にその一部を示したような形状の防水シート３２を用意し、図３（Ｂ）に詳細を示す斜視図として示したように入隅部１２およびその付近に固定し、防水シート３２の接合部３３などの重ね合わせの部分は、溶剤あるいは加熱によって溶着することによって、入隅部１２を含む第１壁部１４の下辺部およびその近傍に防水処理を施すことができる。なお、図示しなかった第１壁部１４の下辺部１８の他方の入隅部についても、同様にして防水処理を施すことができる。第１防水シートの下端は、第１付加芯材２２の奥行きより長くバルコニー側に延びており、延長部３４を形成している。この延長部３４は、後述するようにバルコニー底面の防水シートと重ね合わせられる。
【００２０】
また、塩化ビニル樹脂などの合成樹脂で形成された第１防水シート３２は、木質部との間の接着強度が比較的弱いが、入隅部１１，１２などの角部においては特に剥がれやすいため、図４（Ａ）に示したように、第１壁部１４の壁面１５、第１付加芯材２２、および第２付加芯材２７の少なくともいずれか２つによって形成される入隅部１１，１２に、塩化ビニル等の樹脂で覆われた金属製等の薄板１９を釘等で第１壁部１４の入隅部１１，１２に固定し、図４（Ｂ）に断面図として示したように、薄板１９と第１防水シート３２とを接着する。これによって、第１防水シート２２が剥がれやすい入隅部１１，１２においての第１防水シート３２の接着強度を増すことができる。なお、図４（Ａ）および（Ｂ）においては、図面の明確性の都合上、薄板１９の厚さを誇張して描いてある。
【００２１】
そして、図１には一方の第２壁部４０を示してあるが、第２壁部４０の下辺部４１に第２防水シート４４が取り付けられた第２壁部４０を、第１壁部１４の両側に互いに対向させて立設する。第２防水シート４４は、この図に示したように、第２壁部４０の下辺部４１を覆うとともに、その下端部から幾分延びる延長部４５を有し、後述するようにバルコニーの底面を覆う防水シートに重ね合わせられる。
【００２２】
次いで、図１および図２に示すように、第１壁部１４および第２壁部４０によって囲まれる領域に、第３防水シート５６が貼付された勾配台５２が設置される。そして、第３防水シート５６と第１および第２防水シート３２，４４とを重ね合わせ、互いに接着あるいは溶着する。なお、勾配台５２の防水シート上を流れた水は、排水溝６２に流れ込むようになっている。
【００２３】
そして次に、インナーバルコニー１０の前部を形成する腰高の第４壁部６６が、図１および図２に示したように設置される。
【００２４】
上記のようにして、本実施例のインナーバルコニー１０が構築される。
【００２５】
インナーバルコニーの上述した構築方法によれば、入隅部１１，１２を含む第１壁部１４の下辺部１８およびその近傍に、まず、防水処理を施すことができ、複雑な処理を必要とする入隅部１１，１２の防水処理を、隣接する壁部４０，４０の下辺部４１やバルコニー底部の防水処理作業とは別個の作業として行えるため、入隅部１１，１２の防水処理作業を単純化することができる。
【００２６】
なお、上記では、第１壁部１４を構築した後に、その下辺部１８および下辺部１８近傍に防水処理を施す例を示したが、例えば図５に示したように、その下辺部に壁面から突出する第１付加芯材２２を有し、その両側の側辺部に壁面１５から突出する第２付加芯材２７を有する壁パネル１６に、上記と同様にして予め第１防水シート３２を用いて防水処理し、その壁パネル１６を立設することによって、第１壁部１４を構築して、下辺部およびその近傍に防水処理が施された第１壁部１４を得ることもできる。
【００２７】
インナーバルコニー１０のこのような構築方法によれば、入隅部１１，１２を含む下辺部１８およびその近傍の防水処理を施した壁パネル１６を工場で予め製造することができるため、インナーバルコニー１０の構築における防水処理の現場作業において、熟練を要する入隅部１１，１２の防水処理の施工が不要となり、工数を短縮することができるとともに、入隅部１１，１２の防水施工のばらつきを減少させることができる。
【００２８】
以上、本発明の実施例を説明したが、本発明は前述した実施例に限定されるものではなく、本発明の要旨の範囲内または特許請求の範囲の均等範囲内で各種の変形実施が可能である。
【００２９】
例えば、上記実施例では、第１防水シート３２の貼付による第１壁部１４の下辺部１８およびその近傍の防水処理と、第２防水シート４４の貼付による第２壁部４０の下辺部４１およびその近傍の防水処理とを、別々の工程として行う例を示したが、それらの工程をまとめて、縁部用防水シートの貼付工程として行ってもよい。
【００３０】
また、上記実施例では、第３防水シート５６が貼付された勾配台５２を設置して、インナーバルコニー１０の底部の防水処理を行う例を示したが、勾配を有する床部を予め形成しておき、その上から底部用防水シートである第３防水シート５６を敷設し、前記縁部用防水シートと重ね合わせることによって、インナーバルコニーの防水処理を行うようにしてもよい。
【００３１】
このようなインナーバルコニー１０の構築方法によれば、インナーバルコニー１０縁部への防水シート３２，４４の貼付と、インナーバルコニー１０底部への防水シート５６の貼付とが別々の工程によって行われるため、各工程を単純化することができ、インナーバルコニー１０の防水シート３２，４４，５６を用いた防水処理の施工作業の能率を向上させることができる。
【００３２】
【発明の効果】
以上説明したように、請求項１に記載の発明によれば、入隅部を含む第１壁部の下辺部およびその近傍に、まず、防水処理を施すことができ、処理の複雑な入隅部の防水処理を、隣接する壁部下辺部やバルコニー底部の防水処理作業とは別個の作業として行えるため、入隅部の防水処理作業を単純化することができる。また、入隅部を含む下辺部およびその近傍の防水処理を施した第１壁部を工場で予め製造すれば、インナーバルコニーの構築における防水処理の現場作業において、熟練を要する入隅部の防水処理の施工が不要となり、工数を短縮することができるとともに、入隅部の防水施工のばらつきを減少させることができる。
【００３３】
【００３４】
請求項２に記載の発明によれば、隅部の剥がれやすい部分での防水シートの貼付が樹脂と防水シートとの接着によって可能となるため、木質部等に直接防水シートを貼付する場合に比し、剥がれにくい防水シートの貼付が可能となる。
【図面の簡単な説明】
【図１】  実施例のインナーバルコニーの分解斜視図である。
【図２】  実施例のインナーバルコニーの屋内側から屋外側までを示す縦断面図である。
【図３】  （Ａ）は、第１防水シートの貼付前の形状例の一部を示す図である。（Ｂ）は、第１防水シートを入隅部およびその近傍に貼付した状態を示した斜視図である。
【図４】  （Ａ）は、第１壁部の入隅部に予め薄板を固定した状態を示す斜視図である。（Ｂ）は、第１壁部の入隅部に薄板を固定し第１防水シートを貼付した状態を示す断面図である。
【図５】  予め下辺部に防水処理が施された壁パネルを示す斜視図である。
【符号の説明】
１０  インナーバルコニー
１１，１２  入隅部
１４  第１壁部
１５  壁面
１８，４１  下辺部
１９  薄板
２０  側辺部
２２  第１付加芯材
２３  上面
２７  第２付加芯材
２８  側面
３２  第１防水シート
４０  第２壁部
４４  第２防水シート
５６  第３防水シート
【図１】
0003794655.tif 000002
【図２】
0003794655.tif 000003
【図３】
0003794655.tif 000004
【図４】
0003794655.tif 000005
【図５】
0003794655.tif 000006